(57)【特許請求の範囲】
【請求項１】
紙葉が背部で一体となった本文（１１）と、その本文をくるむ表紙（１２）と、前記本文の背部を表紙の対応する部分に接合する背紙（１３）とを備え、該背紙（１３）が、前記本文の背部の幅よりも広い幅の偏平な筒状に構成されると共に、その偏平な筒状の片側が前記表紙に貼り付けられ、反対側が前記本文に貼り付けられており、前記表紙（１２）は、背表紙（１２ａ）とその両側の表紙部分（１２ｂ、１２ｃ）からなると共に前記表紙部分（１２ｂ、１２ｃ）ののど部に筋押し（１２ｅ）を形成しており、前記表紙（１２）の両側の表紙部分（１２ｂ、１２ｃ）は、のど部に形成している筋押し（１２ｅ）の外側で且つ前記背紙（１３）の端部の外側で前記本文（１１）の表面の紙葉に貼り付けられていることを特徴とするホローバック本。
【発明の詳細な説明】
【０００１】
【発明の属する技術分野】
本発明は、無線綴じ、アジロ綴じ、かがり仮製本等で製本された並製本に関し、特に、開きやすい構造としたホローバック本に関する。
【０００２】
【従来の技術】
一般に無線綴じ、アジロ綴じ等で製本された並製本は、複数の刷本を丁合してなる本文の背を接着剤によって、表紙の背の部分に貼り付けた構造となっており、糊付けした背の部分が固いために本を開いて広げた状態にするのが難しいという欠点がある。そこで、開きやすい構造の本として、図５（ａ）に示すように、背表紙１ａとその両側の表紙部分１ｂ、１ｃを備えた表紙１の、背表紙１ａの内面側に、本文２の幅よりも広い幅のテープ等の背紙３を、その両端を接着剤４で貼り付けて取り付けておき、その表紙１を通常の並製本ラインに供給し、その並製本ラインにおいて、図５（ａ）に示すように、本文２の背部に接着剤５を塗布し、その本文２と表紙１を同期して走行させながら図５（ｂ）に示すように、本文２を、表紙１に貼った背紙３に押し当て、次いで、図５（ｃ）に示すように、背表紙１ａの両側の表紙部分１ｂ、１ｃを折り曲げて本文２の前後面に折り重ね、その後背表紙１ａ及びその両側ののど部をプレスして接着剤５による接着を確実とし、次いで仕上げ断ちを行うという工程によって製本される構成のホローバック本６が知られている。このホローバック本６は、図５に示すように開いた時には、本文２の背に貼り付けられている背紙３が表紙１の背表紙１ａから浮き上がって、本文と共に曲がることができ、これによって本文２を大きく開くことができ、また通常の並製本ラインで製本できるという効果を有している。
【０００３】
【発明が解決しようとする課題】
しかしながら、従来のホローバック本は、製本ラインで製本する際、次のような問題点があった。すなわち、図７（ａ）に示す背紙３を貼った表紙１の表紙部分１ｂ、１ｃを、図７（ｂ）に示すように背紙３側に折り曲げると、内側に位置する背紙３にはたるみが生じるが、背紙３の両端は固定されているため、そのたるみを逃がすことができず、このため、本文２の背を背紙３に押し当てた状態で表紙１の表紙部分１ｂ、１ｃを折り曲げた時、図８（ａ）に示すように、背紙３のたるみによるしわ３ａがのど部に生じ、不体裁となったり、強度が低下することがあり、また、図８（ｂ）に示すように、背紙３のたるみによるしわ３ｂが中央部に生じ、背紙３の本文２に対する接着むらを生じ、部分的な強度低下をもたらし、また、本文の開きにむらを生じるという問題点があった。更に、製本強度を向上させるためには、背紙３を厚くすることが必要であるが、背紙３を厚くするとしわの発生が一層顕著になり、このため、製本強度の向上ができないという問題もあった。
【０００４】
本発明はかかる問題点を解決せんとするもので、本文の背に貼り付ける背紙にしわが生じてトラブルを起こすことを防止しうる構成のホローバック本を提供することを目的とする。
【０００５】
【課題を解決するための手段】
本発明は、背紙に生じるしわを防止するため、背紙を偏平な筒状とし、その偏平な筒状の片側を表紙に貼り付け、反対側を本文の背部に貼り付ける構成としたものである。このように筒状の背紙を採用したことにより、表紙を折り曲げた際に生じる背紙のたるみを偏平な筒状の両端に逃がすことができ、これによって、しわの発生を防止できる。
【０００６】
【発明の実施の形態】
本発明は、紙葉が背部で一体となった本文と、その本文をくるむ表紙と、前記本文の背部を表紙の対応する部分に接合する背紙とを備えたホローバック本において、その背紙を、前記本文の背部の幅よりも広い幅の偏平な筒状のもので構成すると共に、その偏平な筒状の片側を前記表紙に貼り付け、反対側を前記本文に貼り付ける構成としたものである。この構成によれば、背紙の偏平な筒状の片側に表紙が貼り付けられ、反対側に本紙の背が貼り付けられるので、両端は自由となっており、製本工程で表紙を折り曲げた時に背紙にたるみが生じても、そのたるみを偏平な筒状の両端に逃がすことができ、しわの発生を防止できる。また、この本を開く時には、本文の背に貼り付けている背紙の部分が、表紙に貼り付けている背紙の部分から離れることができるので、表紙の背表紙から離れて自由に曲がることができ、本文を大きく開くことができる。本発明は更に、前記表紙が、背表紙とその両側の表紙部分からなると共に前記表紙部分ののど部に筋押しを形成しており、前記表紙の両側の表紙部分は、のど部に形成している筋押しの外側で且つ前記背紙の端部の外側で前記本文の表面の紙葉に貼り付けられている構成としている。この構成としたことで、表紙部分を容易に開くことができ、且つその表紙部分を開いた状態においても背紙の端部を隠すことができ、外観が良い。
【０００７】
【実施例】
図１（ａ）、（ｂ）は本発明の一実施例のホローバック本１０を、閉じた状態及び開いた状態で示す概略断面図、図２（ａ）、（ｂ）及び図３はそのホローバック本１０の製本手順を示す概略斜視図、図４（ａ）、（ｂ）はそのホローバック本１０の製本手順を示す概略断面図である。本実施例のホローバック本１０は、紙葉が背部で一体となった本文１１と、その本文１１をくるむ表紙１２と、本文１１の背部を表紙１２の対応する部分に接合する背紙１３等で構成されている。本文１１は、複数の刷本を丁合し、背部を適当な手段で接合させたものであり、見返しのないものでも、見返しを取り付けたものであってもよい。表紙１２は、背表紙１２ａと、その両側の表紙部分１２ｂ、１２ｃからなり、その背表紙１２ａの両側、及び表紙部分１２ｂ、１２ｃののど部には、折り曲げを容易とするための筋押し１２ｄ、１２ｅが形成されている。
【０００８】
背紙１３は、クロス等の柔軟な材料を偏平な筒状に構成したものであり、偏平な筒状とした時の幅Ｗは本文１１の背部の幅ｗよりも大きく、且つ、表紙１２ののど部に形成している筋押し１２ｅ、１２ｅ間の距離にほぼ等しく設定されている。そして、図１に示すように、この筒状の背紙１３は、偏平とした状態での片側が、接着剤１４によって表紙１２の背表紙１２ａ及びのど部に貼り付けられており、反対側が、接着剤１６（以下背のりという）、接着剤１７（以下のどのりという）によってそれぞれ本文１１の背及びのど部に貼り付けられている。ここで使用する背紙１３の材料は、適度な柔軟性と強度を持ったシート状のものであれば任意であり、従来使用されている背紙材、例えば、クロス、丈夫な紙、不織布、樹脂フィルム等を用いることができ、しかも後述するように、しわが発生しにくいので、従来よりも厚手の、強度の大きいものを使用できる。筒状の背紙１３を形成する方法は、シート状のものの両端を貼り合わせて筒状とする方法でもよいし、継ぎ目のないチューブ状のものを所定長さに切断して筒状の背紙１３とする方法でもよい。
【０００９】
更に、表紙１２の表紙部分１２ｂ、１２ｃののど部は、背紙１３の端部よりも外側を、接着剤１８（以下のどのりという）によって本文１１の表面の紙葉に貼り付けられている。
【００１０】
次に、この構成のホローバック本１０の製本工程を説明する。図２（ａ）に示すように、予め筋押し１２ｄ、１２ｅを形成した表紙１２の内面の、筋押し１２ｅ、１２ｅではさまれた領域に接着剤１４を塗布し、偏平な筒状の背紙１３をその上に貼り付ける。この際、筒状の背紙１３が、筒状を形成するための継ぎ目を有するものであれば、その継ぎ目を下にして表紙１２に貼り付ける。これにより、図２（ｂ）に示すように、表紙１２の内面に偏平な筒状の背紙１３を貼り付けた構成の貼加工済表紙１２Ａが形成される。なお、この実施例では、偏平な筒状の背紙１３の片面全域を表紙１２に貼り付けているが、背紙１３は必ずしも片面全域を貼り付ける必要はなく、少なくとも、その両端を貼り付けておけばよい。従って、表紙１２に接着剤１４を塗布するに当たっては、筋押し１２ｅ、１２ｅではさまれた領域全域に接着剤１４を塗布する代わりに、ストライプ状に塗るように変更してもよい。ただし、図示実施例のように、背紙１３の広い面積を表紙１２に貼り付けておくと、背紙１３の表紙１２に対する接着面積が大きくなり、製本強度を高めることができる。予め筋押し１２ｄ、１２ｅを形成した表紙１２を用いる代わりに、本紙１２に背紙１３を貼り付けた後、適当な時期に、適当な場所で、例えば製本ライン内において筋押しを行うように変更してもよい。
【００１１】
次に、この貼加工済表紙１２Ａを、無線綴じ方式或いはアジロ綴じ方式の通常の並製本ラインにセットし、製本を行う。すなわち、並製本ラインにおいて、図３に示すように、走行中の貼加工済表紙１２Ａの背紙１３の外側にのどのり１８を塗布し、一方、走行中の本文１１には、その背に背のり１６を、のど部にのどのり１７を塗布し、その後、貼加工済表紙１２Ａと本文１１を同期して走行させながら、図４（ａ）に示すように、貼加工済表紙１２Ａの背紙１３の中央位置に本紙１２の背を押し当て、次いで、図４（ｂ）に示すように、背表紙１２ａの両側の表紙部分１２ｂ、１２ｃを折り曲げて本文１１の前後面に重ね合わせ、背表紙１２ａ及び表紙部分１２ｂ、１２ｃをプレスして、背のり１６、のどのり１７、１８による接合を確実とする。その後、裁断工程を経て、図１に示す構成のホローバック本１０が製本される。
【００１２】
この製本工程において、図４（ｂ）に示すように、背表紙１２ａの両側の表紙部分１２ｂ、１２ｃを折り曲げた時、表紙１２に貼り付けられた背紙１３の、表紙１２に貼り付けた部分と本文１１に貼り付けた部分の間にはたるみが生じようとするが、偏平な筒状の背紙１３の両端１３ａは自由に動き得るので、その両端が矢印で示す方向に逃げてたるみを吸収する。このため、従来見られたようなしわが生じることはなく、本文１１の背に背紙１３が均等に貼り付けられ、また外観を悪くするといったことも生じない。また、しわが生じないので、厚手の、従って強度の大きい背紙１３を使用することができ、それによって製本強度を増すことができる。
【００１３】
以上のように製本したホローバック本１０は、図１（ｂ）に示すように開いた時、背紙１３の、本文１１の背に貼り付けている部分が、表紙１２に貼り付けている部分から離れることができるので、背表紙１２ａから離れて自由に曲がることができ、本文１１を大きく開くことができる。また、本文１１の背に背紙１３が均等に貼り付けられているので、強度が均一となっており、且つ均等に開くことができる。更に、背紙１３の端部よりも外側で表紙１２と本文１１がのどのり１８で接合されているため、背紙１３の端部を隠すことができ、外観が良い。なお、図１（ｂ）に示すように本を開いた状態では、本文１１の背に貼り付けている背紙１３の部分が、表紙１２に貼り付けている背紙１３の部分から浮き上がり、このため、外部から筒状の背紙１３の内面が見える状態となる。そこで、この背紙１３に色紙を使用しておくと、装飾効果を得ることができる。
【００１４】
なお、上記実施例では、のどのり１８で表紙１２と本文１１ののど部を接合しているが、本文１１が見返しを備えている場合には、その見返しと表紙１２とを小口側で接合するとか、見返し全面を表紙１２に貼り付ける等の変更を行ってもよい。更に、上記説明では、本実施例のホローバック本１０を並製本ラインを用いて製本したが、本発明のホローバック本は、必ずしも並製本ラインに依る製本に限らず、他の製本方式を用いてもよい。ただし、並製本ラインを用いると、高速で低コストで製本できる利点が得られる。
【００１５】
【発明の効果】
以上に説明したように、本発明のホローバック本は、本文の背を表紙に接合するための背紙を偏平な筒状とし、その偏平な筒状の片側を表紙に貼り付け、反対側を本文に貼り付ける構成としたことにより、製本時に表紙を折り曲げた際に生じる背紙のたるみを偏平な筒状の両端に逃がすことができ、これによって、しわの発生を防止でき、背紙を本紙の背に対して均一に貼り付けることができ、外観が良く、且つ大きく開くことができるという効果を備えている。更に、しわ発生の問題を解消できるため、厚い強度の大きい背紙材を用いることができ、本の強度を大きくでき、また、筒状の背紙と表紙との接着面積を大きくできるので、この点からも製本強度を更に向上できる等の効果も有している。本発明は更に、表紙の表紙部分ののど部に筋押しを形成しているので、表紙部分を容易に開くことができ、更に、表紙の表紙部分を本文に貼り付けているので表紙部分を開いた状態においても背紙の端部を隠すことができ、外観が良いといった効果も有している。
【図面の簡単な説明】
【図１】（ａ）、（ｂ）は本発明の一実施例のホローバック本を、閉じた状態及び開いた状態で示す概略断面図
【図２】（ａ）、（ｂ）は図１に示すホローバック本の製本途中の異なる状態を示す概略斜視図
【図３】図１に示すホローバック本の製本途中の状態を示す概略斜視図
【図４】（ａ）、（ｂ）は図１に示すホローバック本の製本途中の状態を示す概略断面図
【図５】（ａ）〜（ｃ）は従来のホローバック本の製本手順を示す概略断面図
【図６】従来のホローバック本を、開いた状態で示す概略断面図
【図７】（ａ）、（ｂ）は従来のホローバック本を構成する表紙を折り曲げた時に背紙にたるみが生じる状態を説明する概略断面図
【図８】（ａ）、（ｂ）はそれぞれ、従来のホローバック本の製本時において背紙にしわが生じる状態を示す概略断面図
【符号の説明】
１０  ホローバック本
１１  本文
１２  表紙
１２ａ  背表紙
１２ｂ、１２ｃ  表紙部分
１２ｄ、１２ｅ  筋押し
１３  背紙
１４  接着剤
１６  背のり
１７、１８  のどのり
【図１】
0003902700.tif 000002
【図２】
0003902700.tif 000003
【図３】
0003902700.tif 000004
【図４】
0003902700.tif 000005
【図５】
0003902700.tif 000006
【図６】
0003902700.tif 000007
【図７】
0003902700.tif 000008
【図８】
0003902700.tif 000009